(57)【要約】【課題】容易に座板を定着できる上柱成形用治具を提供する。【解決手段】一体成形部６と嵌合部７との間に座板８が設けられた継手用鋼管５を有する上柱を製造する際に用いられる上柱成形用治具１であって、嵌合部７内に挿入可能な治具本体21を備える。この治具本体21は、座板８に対して第１の固定手段22で固定可能であり、アンカープレート18に対して第２の固定手段23で固定可能である。また、治具本体21は、第１の固定手段22によって座板８に対して固定される座板固定部24と、第２の固定手段23によってアンカープレート18に対して固定されるアンカープレート固定部25とを有する。そして、上柱成形用治具１を用いることで、治具本体21を介して座板８をアンカープレート18に固定でき、容易に座板８を定着できる。【選択図】図１
2020147010.tif 000002
【特許請求の範囲】
【請求項１】
軸方向に沿って緊張材が配設された柱状のコンクリート部と、このコンクリート部の軸方向の一方側の端部に一体化され下柱に接続される継手用鋼管とを備え、前記継手用鋼管が、前記コンクリート部に一体化される筒状の一体成形部と、この一体成形部における軸方向の一方側に設けられ前記下柱に嵌合可能な筒状の嵌合部と、これら一体成形部と嵌合部との間に設けられ前記緊張材の一端部が固定された座板とを有する上柱を製造するための上柱成形用治具であって、
前記嵌合部内に挿入可能な治具本体と、前記座板に対して前記治具本体を固定するための第１の固定手段と、前記緊張材を緊張するためのアンカープレートに対して前記治具本体を固定するための第２の固定手段とを備え、
前記治具本体は、前記第１の固定手段によって前記座板に対して固定される座板固定部と、前記第２の固定手段によって前記アンカープレートに対して固定されるアンカープレート固定部とを有する
ことを特徴とする上柱成形用治具。
【請求項２】
第１の固定手段は、座板と座板固定部とを固定するボルトと、そのボルトを操作するための操作部材とを有し、
前記ボルトは、前記座板と前記座板固定部とを螺合する螺合部と、この螺合部にて前記座板と前記座板固定部とを螺合する際に前記操作部材によって操作される被操作部を有し、
前記操作部材は、棒状でその先端部に被操作部に係合可能な係合部を有する
ことを特徴とする請求項１記載の上柱成形用治具。
【請求項３】
治具本体は、軸方向における座板固定部とアンカープレート固定部との間に設けられ操作部材をガイドするガイド部を有する
ことを特徴とする請求項２記載の上柱成形用治具。
【請求項４】
筒状の一体成形部と、この一体成形部における軸方向の一方側の端部に設けられ緊張材の一端部が固定された座板と、この座板における前記一体成形部とは反対側に設けられた筒状の嵌合部とを有する継手用鋼管が柱状のコンクリート部の軸方向の一端部に一体化された上柱を、請求項１ないし３いずれか一記載の上柱成形用治具を用いて製造する上柱の製造方法であって、
前記継手用鋼管を前期上柱を成形するための型枠にセットし、
前記継手用鋼管における嵌合部に治具本体を挿入し、
前記座板と、前記治具本体の座板固定部とを第１の固定手段で固定し、
アンカープレートと前記治具本体のアンカープレート固定部とを第２の固定手段で固定し、
そのアンカープレートを前記型枠に固定し、
前記緊張材を他端部側から緊張し、
前記型枠内にコンクリートを注入し、
前記型枠を回転させてその遠心力により成形する
ことを特徴とする上柱の製造方法。
【発明の詳細な説明】
【技術分野】
【０００１】
本発明は、緊張材が配設されたコンクリート部とこのコンクリート部に一体化され下柱に接続される継手用鋼管とを備えた上柱を製造するための上柱成形用治具、および、その治具を用いた上柱の製造方法に関する。
【背景技術】
【０００２】
緊張材が配設されたプレストレストコンクリート柱を製造する方法としては、例えば特許文献１に示すように、鉄筋挿通孔が形成された大径および小径の円形の端板を有し、緊張材を鉄筋挿通孔に挿通し、これら緊張材を緊張固定した後に、型枠内にコンクリートを注入、型枠全体を回転させて遠心成形する方法が知られている。
【０００３】
また、特許文献２には、緊張材の端部を固定する端板に互いに隣接した２つ孔のそれぞれ逆方向に凸部および凹部を形成し、凸部の孔には緊張材の端部を固定し、その半対面の凹部にはボルトによってアンカープレートを固定することで、端板とアンカープレートを固定して、緊張材を緊張固定する方法が記載されている。
【０００４】
さらに、特許文献３には、プレストレストコンクリート製の組立式コンクリート柱が示されており、その上柱は、コンクリート部に一体化される一体成形部と、下柱が嵌着される嵌着部との間に緊張材の端部を固定するための座板が設けられている。
【先行技術文献】
【特許文献】
【０００５】
【特許文献１】特開昭５１−４９２１３号公報
【特許文献２】特開昭５１−１６３３０号公報
【特許文献３】特開２０１６−１５３５９８号公報
【発明の概要】
【発明が解決しようとする課題】
【０００６】
特許文献３に示すような組立式コンクリート柱における上柱は、緊張材の端部を固定するための座板部が継手用鋼管内、すなわち、一体成形部と嵌着部との間に設けられているため、緊張材の緊張時に、例えば特許文献１や特許文献２のように座板をアンカープレートに固定し、このアンカープレートを型枠に固定しにくく、その結果、緊張材が固定された座板を定着しにくいと考えられる。
【０００７】
したがって、継手用鋼管内に座板が設けられた上柱であっても緊張材を緊張する際に容易に座板を定着できる技術が求められていた。
【０００８】
本発明はこのような点に鑑みなされたもので、容易に座板を定着できる上柱成形用治具および上柱の製造方法を提供することを目的とする。
【課題を解決するための手段】
【０００９】
請求項１に記載された上柱成形用治具は、軸方向に沿って緊張材が配設された柱状のコンクリート部と、このコンクリート部の軸方向の一方側の端部に一体化され下柱に接続される継手用鋼管とを備え、前記継手用鋼管が、前記コンクリート部に一体化される筒状の一体成形部と、この一体成形部における軸方向の一方側に設けられ前記下柱に嵌合可能な筒状の嵌合部と、これら一体成形部と嵌合部との間に設けられ前記緊張材の一端部が固定された座板とを有する上柱を製造するための上柱成形用治具であって、前記嵌合部内に挿入可能な治具本体と、前記座板に対して前記治具本体を固定するための第１の固定手段と、前記緊張材を緊張するためのアンカープレートに対して前記治具本体を固定するための第２の固定手段とを備え、前記治具本体は、前記第１の固定手段によって前記座板に対して固定される座板固定部と、前記第２の固定手段によって前記アンカープレートに対して固定されるアンカープレート固定部とを有するものである。
【００１０】
請求項２に記載された上柱成形用治具は、請求項１記載の上柱成形用治具において、第１の固定手段は、座板と座板固定部とを固定するボルトと、そのボルトを操作するための操作部材とを有し、前記ボルトは、前記座板と前記座板固定部とを螺合する螺合部と、この螺合部にて前記座板と前記座板固定部とを螺合する際に前記操作部材によって操作される被操作部を有し、前記操作部材は、棒状でその先端部に被操作部に係合可能な係合部を有するものである。
【００１１】
請求項３に記載された上柱成形用治具は、請求項２記載の上柱成形用治具において、治具本体は、軸方向における座板固定部とアンカープレート固定部との間に設けられ操作部材をガイドするガイド部を有するものである。
【００１２】
請求項４に記載された上柱の製造方法は、筒状の一体成形部と、この一体成形部における軸方向の一方側の端部に設けられ緊張材の一端部が固定された座板と、この座板における前記一体成形部とは反対側に設けられた筒状の嵌合部とを有する継手用鋼管が柱状のコンクリート部の軸方向の一端部に一体化された上柱を、請求項１ないし３いずれか一記載の上柱成形用治具を用いて製造する上柱の製造方法であって、前記継手用鋼管を前期上柱を成形するための型枠にセットし、前記継手用鋼管における嵌合部に治具本体を挿入し、前記座板と、前記治具本体の座板固定部とを第１の固定手段で固定し、アンカープレートと前記治具本体のアンカープレート固定部とを第２の固定手段で固定し、そのアンカープレートを前記型枠に固定し、前記緊張材を他端部側から緊張し、前記型枠内にコンクリートを注入し、前記型枠を回転させてその遠心力により成形するものである。
【発明の効果】
【００１３】
本発明によれば、治具本体が、第１の固定手段によって座板に対して固定される座板固定部と、第２の固定手段によってアンカープレートに対して固定されるアンカープレート固定部とを有するため、治具本体を介して座板をアンカープレートに固定でき、容易に座板を定着できる。
【図面の簡単な説明】
【００１４】
【図１】本発明の一実施の形態に係る上柱成形用治具の構成を示す断面図である。
【図２】同上上柱成形用治具が設置される前の状態を示す断面図である。
【図３】同上上柱整形用治具の治具本体が嵌合部内に挿入された状態を示す断面図である。
【図４】同上上柱成形用治具において、第１の固定手段によって座板に対して座板固定部を固定している状態を示す断面図である。
【図５】同上上柱成形用治具において、第２の固定手段によってアンカープレートに対してアンカープレート固定部を固定した状態を示す断面図である。
【図６】同上上柱成形用治具におけるアンカープレート固定部の構成を示す平面図である。
【図７】同上上柱成形用治具を用いて製造した上柱を示す断面図である。
【発明を実施するための形態】
【００１５】
以下、本発明の一実施の形態の構成について図面を参照しながら詳細に説明する。
【００１６】
図１において、１は上柱成形用治具であり、この上柱成形用治具１は、図２ないし図５に示すように、組立式コンクリート柱を構成する図７に示す上柱２を型枠３によって成形する際に用いられる。
【００１７】
ここで、上柱２は、図示しない下柱に接続するものであり、柱状のコンクリート部４と、このコンクリート部４の軸方向の一方側の端部（下端部）に配置され一体化された継手用鋼管５とを備えている。
【００１８】
継手用鋼管５は、コンクリート部４に一体化された円筒状の一体成形部６と、この一体成形部６の軸方向の一方側である下側に配置され下柱に嵌合可能な円筒状の嵌合部７と、これら一体成形部６と嵌合部７との間に設けられた円板状の座板８とを有している。
【００１９】
一体成形部６は、その外径が型枠３の内径と略同一であり、一体化されたコンクリート部４の外周面と連続面を形成する。
【００２０】
座板８は、緊張材９の一端部が固定されるものであり、一体成形部６と嵌合部７との間の内周面に例えば溶接等によって一体化された座板部本体11と、この座板部本体11の中心に設けられた円形の開口部12とを有している。
【００２１】
座板部本体11には、コンクリート部４にプレストレスを導入するための緊張材９の一端部を固定するための貫通孔である緊張材固定孔13、および、上柱成形用治具１を固定するための貫通孔である治具固定孔14が設けられている。
【００２２】
型枠３は、上柱２を製造する際に、継手用鋼管５が内部に設置されて一体成形部６と一体のコンクリート部４を成形するためのものである。
【００２３】
この型枠３は、互いに着脱可能な複数、例えば２つの型枠構成体15が組み付けられて構成されている。すなわち、型枠３は、図２に示すように一の型枠構成体15に継手用鋼管５を設置した状態で、その上側に他の型枠構成体15が組み付けられる。
【００２４】
また、型枠構成体15が組み付けられて構成された型枠３は、継手用鋼管５を挿入可能な筒状の型枠本体16と、この型枠本体16の軸方向の一端部に設けられ型枠本体16が外側へ突出するフランジ部17とを有している。
【００２５】
そして、型枠３は、型枠本体16内に継手用鋼管５が挿入された状態にて、アンカープレート18をフランジ部17で軸方向の他方側への力に対して係止可能である。
【００２６】
アンカープレート18は、緊張材９を緊張する際に型枠３に係止されて緊張固定されるものであり、その外径が型枠本体16の内径より大きく、型枠３内には挿入されない円環板状である。
【００２７】
また、アンカープレート18は、治具本体21に対して固定するための貫通孔である治具固定孔19を有している。
【００２８】
上柱成形用治具１は、図３に示すように型枠３内に継手用鋼管５が設置された状態にて、嵌合部７内に挿入可能な治具本体21と、座板８に対して治具本体21を固定するための第１の固定手段22と、アンカープレート18に対して治具本体21を固定するための第２の固定手段23とを備えている。
【００２９】
治具本体21は、第１の固定手段22によって座板に対して当接した状態で固定される座板固定部24と、第２の固定手段23によってアンカープレート18に対して当接した状態で固定されるアンカープレート固定部25と、これら座板固定部24とアンカープレート固定部25との間に設けられた円筒状の筒状部26と、この座板固定部24とアンカープレート固定部25との間に位置するように筒状部26の外周面に設けられた円環板状の２つのガイド部27とを有している。
【００３０】
すなわち、治具本体21は、筒状部26の軸方向の一端部にアンカープレート固定部25が一体化され、筒状部26の軸方向の他端部に座板固定部24が一体化され、筒状部26の外周面にガイド部27が一体化されている。
【００３１】
座板固定部24は、その外径が、嵌合部７の内径よりやや小さく、嵌合部７内に挿入可能である。
【００３２】
また、座板固定部24には、第１の固定手段22によって座板８に固定するための貫通孔である座板固定孔31が設けられている。
【００３３】
アンカープレート固定部25は、その外径が、嵌合部７の内径よりやや小さく、嵌合部７内に挿入可能である。
【００３４】
また、アンカープレート固定部25には、第２の固定手段23によってアンカープレート18に固定するための貫通孔であるアンカープレート固定孔32と、第１の固定手段22によって座板固定部24と座板８とを固定する際に使用する貫通孔である挿通孔33とを有している。なお、図６に示すように、アンカープレート固定部25におけるアンカープレート固定孔32と挿通孔33とは、互いに同一円周状には配置されていない。
【００３５】
筒状部26は、その外径が座板固定部24およびアンカープレート固定部25の外径より小さい。
【００３６】
ガイド部27は、第１の固定手段22によって座板固定部24と座板８とを固定する際に使用する貫通孔であるガイド孔34を有している。
【００３７】
そして、嵌合部７内に治具本体21を挿入し上柱成形用治具１をセットした状態では、座板固定孔31とガイド孔34と挿通孔33とが同一直線上に配置される。
【００３８】
第１の固定手段22は、座板８と座板固定部24とを固定するために座板固定孔31に挿入可能で治具固定孔14に螺合可能なボルト35と、そのボルト35を螺合操作するための例えばロングレンチ等である操作部材36とを有している。
【００３９】
ボルト35は、座板８と座板固定部24とを螺着して固定するために座板固定孔31に挿入可能で治具固定孔14に螺合可能な螺合部37と、この螺合部37にて座板８と座板固定部24とを螺合する際に操作部材36によって操作するための被操作部38とを有している。
【００４０】
この被操作部38は、螺合部37を座板固定孔31に挿入した状態にて座板固定部24における座板８とは反対側に配置され座板固定孔31に挿入されない頭部39と、この頭部39に設けられ操作部材36が係合可能な穴状の被係合部40とを有している。
【００４１】
操作部材36は、挿通孔33およびガイド孔34に挿入可能な棒状の操作部本体41と、この操作部本体41における軸方向の一端部（基端部）に設けられ挿通孔33に挿入されない例えば平面視で六角形状の頭部42と、操作部本体41における軸方向の他端部（先端部）に設けられ被操作部38の被係合部40に係合可能な係合部43とを有している。
【００４２】
すなわち、第１の固定手段22では、座板固定孔31にボルト35の螺合部37を挿入し、挿通孔33に挿入した操作部材36の操作部本体41をガイド孔34に挿入することで、ボルト35の被係合部40と操作部材36の係合部43とが同一線状に配置された状態で保持され、そのまま操作部材36をボルト35側へ移動させることで、被係合部40と係合部43とが係合される。
【００４３】
また、被係合部40と係合部43とが係合した状態で、操作部本体41を回動操作することで、その操作部本体41とともにボルト35が回動して螺合部37が治具固定孔14に螺着される。
【００４４】
なお、ボルト35の治具固定孔14への螺着によって座板８と座板固定部24とが螺合され固定された後には、操作部材36をボルト35から離間する方向へ引くようにして、被係合部40と係合部43との係合が解除され、操作部本体41がガイド孔34から引き抜かれ、操作部材36が上柱成形用治具１から取り外される。
【００４５】
第２の固定手段23は、例えば六角ボルトであり、アンカープレート18の治具固定孔19に挿入可能でアンカープレート固定部25のアンカープレート固定孔32に螺着可能な螺合部44と、この螺合部44の軸方向の一端部に位置する平面視で六角形状の頭部45とを有している。
【００４６】
そして、第１の固定手段22のボルト35によって座板８と上柱成形用治具１とが固定され、操作部材36が上柱成形用治具１から取り外された状態にて、第２の固定手段23における螺合部44を治具固定孔14に挿入するとともにアンカープレート固定孔32に螺着することで、アンカープレート18がフランジ部17に係止されかつ上柱成形用治具１とアンカープレート18とが固定されて、座板８が上柱成形用治具１を介してアンカープレート18に対して固定される。
【００４７】
次に、上記一実施の形態の作用および効果を説明する。
【００４８】
上記上柱成形用治具１を用いて上柱２を成形する場合には、まず、図２に示すように、型枠本体21を構成する一の型枠構成体15に継手用鋼管５を設置する。
【００４９】
また、図３に示すように、一の型枠構成体15に他の型枠構成体15を組み付け例えば図示しない型枠合わせ目ボルトを締め込むことで、型枠構成体15同士を固定し型枠本体16を構成する。
【００５０】
また、型枠構成体15同士を固定した状態で、継手用鋼管５の嵌合部７に上柱成形用治具１を挿入し、座板固定部24を座板８に当接させる。
【００５１】
また、図４に示すように、操作部材36を挿通孔33および各ガイド孔34に挿通させて、ボルト35の被係合部40に操作部材36の係合部43を係合させた状態で操作部材36を回動操作して、ボルト35によって座板８と座板固定部24とを螺着する。
【００５２】
座板８と座板固定部24との螺着後、操作部材36を上柱成形用治具１から引き抜くように取り外す。
【００５３】
次いで、図５に示すように、アンカープレート18をアンカープレート固定部25および型枠３のフランジ部17に当接した状態にして、第２の固定手段23によってアンカープレート18とアンカープレート固定部25とを螺着する。なお、このアンカープレート18とアンカープレート固定部25とを螺着した状態では、アンカープレート18はフランジ部17に係止されている。
【００５４】
アンカープレート18がフランジ部17に係止された状態にて、緊張材９を他端側から緊張する。続いて、型枠３内にコンクリートを注入し、型枠３を遠心成形機に設置し、型枠３を回転させて、その遠心力を利用した遠心締め固めにより上柱２を成形する。
【００５５】
成形完了後、型枠３内に生じている例えば未固化のコンクリートいわゆるノロ等を排出する。
【００５６】
また、型枠３を養生槽に入れ、常圧蒸気養生を行った後、アンカープレート18および上柱成形用治具１を取り外す。
【００５７】
さらに、一の型枠構成体15に対して、他の型枠構成体15を取り外し、一の型枠構成体15から上柱２を取り出す。
【００５８】
そして、上記一実施の形態によれば、治具本体21が、第１の固定手段22によって座板８に対して固定される座板固定部24と、第２の固定手段23によってアンカープレート18に対して固定されるアンカープレート固定部25とを有するため、治具本体21を介して座板８をアンカープレート18に固定できる。そのため、プレストレスを導入するために緊張材９を緊張する際に、緊張材９の端部が固定された座板８を型枠３に対して容易に定着できる。その結果、継手用鋼管５内に座板８が設けられた構成の上柱２であっても、適切に成形できる。
【００５９】
第１の固定手段22がボルト35とそのボルト35を操作するための操作部材36とを有し、操作部材36の係合部43をボルト35の被係合部40に係合することで、操作部材36を介してボルト35を操作できる。そのため、継手用鋼管５内に座板８が設けられた構成の上柱２であっても、ボルト35によって容易に座板８と座板固定部24とを螺着して固定できる。
【００６０】
また、治具本体21が、軸方向における座板固定部24とアンカープレート固定部25との間に設けられ操作部材36をガイドするガイド部27を有するため、第１の固定手段22において、ボルト35を螺合する際の操作部材36の操作性を向上できる。
【００６１】
なお、上記一実施の形態では、第１の固定手段22がボルト35と操作部材36とを有する構成としたが、このような構成には限定されず、座板固定部24を座板に対して固定可能な構成であればよい。
【００６２】
また、第１の固定手段22がボルト35と操作部材36とを有する構成の場合において、治具本体21がガイド部27を有する構成には限定されず、ガイド部27が設けられていない構成にしてもよい。
【符号の説明】
【００６３】
１    上柱成形用治具
２    上柱
４    コンクリート部
５    継手用鋼管
６    一体成形部
７    嵌合部
８    座板
９    緊張材
18    アンカープレート
21    治具本体
22    第１の固定手段
23    第２の固定手段
24    座板固定部
25    アンカープレート固定部
27    ガイド部
35    ボルト
36    操作部材
43    係合部
【図１】
2020147010.tif 000003
【図２】
2020147010.tif 000004
【図３】
2020147010.tif 000005
【図４】
2020147010.tif 000006
【図５】
2020147010.tif 000007
【図６】
2020147010.tif 000008
【図７】
2020147010.tif 000009